(57)【要約】【課題】  簡易な構成でベッドの両側に取替え取付可能であり、かつ被介助者がベッドと車椅子との間を移動する際の介助者の介助の補助を行うことができる使い勝手のよいベッド車椅子間移動補助装置を提供する。【解決手段】  中央部で湾曲したへの字形状からなり、上面が滑り加工され、下面が滑り止め加工された滑り板１００と、この滑り板１００をベッド３００のサイドレール３３０の垂直ポール３３１に対して回動自在に取り付けるワイヤー部２１０を有する取付具２００とを有し、滑り板１００は、その一端に右側用取付孔１２０ａ、第１の切欠部１２０ａ、第１のフック部材取付孔１３０ａが形成され、他端に左側用取付孔１２０ｂ、第２の切欠部１２０ｂ、第２のフック部材取付孔１３０ｂが形成されている。【選択図】  図１
2014073334.tif 000002
【特許請求の範囲】
【請求項１】
被介助者がベッドと車椅子との間を移動する際の介助者の介助を補助するベッド車椅子間移動補助装置であって、
中央部で湾曲したへの字形状からなり、上面が滑り加工され、下面が滑り止め加工された滑り板と、
前記滑り板を前記ベッドの右側のサイドレールの垂直ポール又は前記ベッドの左側のサイドレールの垂直ポールに取り付けるための屈曲自在なワイヤ部を有する取付具と
を具備し、
前記滑り板は、
一端に、該滑り板を前記ベッドの右側のサイドレールの垂直ポールに取付ける場合に前記取付具の前記ワイヤ部が挿入される右側取付用ワイヤ挿入孔と、
該滑り板を前記ベッドの左側のサイドレールの垂直ポール取り付けて使用する場合に前記車椅子の一部に係合する第１の切欠部と
を有し、
他端に、該滑り板を前記ベッドの左側のサイドレールの垂直ポールに取付ける場合に前記取付具の前記ワイヤ部が挿入される左側取付用ワイヤ挿入孔と、
該滑り板を前記ベッドの右側のサイドレールの垂直ポールに取り付けて使用する場合に前記車椅子の一部に係合する第２の切欠部と
を有することを特徴とするベッド車椅子間移動補助装置。
【請求項２】
被介助者がベッドと車椅子との間を移動する際の介助者の介助を補助するベッド車椅子間移動補助装置であって、
中央部で湾曲したへの字形状からなり、上面が滑り加工され、下面が滑り止め加工された滑り板と、
前記滑り板を前記ベッドの右側のフレームに植設された取付ポール又は前記ベッドの左側のフレームに植設された取付ポールに取り付けるための屈曲自在なワイヤ部を有する取付具と
を具備し、
前記滑り板は、
一端に、該滑り板を前記ベッドの右側のフレームに植設された取付ポールに取付ける場合に前記取付具の前記ワイヤ部が挿入される右側取付用ワイヤ挿入孔と、
該滑り板を前記ベッドの左側のフレームに植設された取付ポールに取り付けて使用する場合に前記車椅子の一部に係合する第１の切欠部と
を有し、
他端に、該滑り板を前記ベッドの左側のフレームに植設された取付ポールに取付ける場合に前記取付具の前記ワイヤ部が挿入される左側取付用ワイヤ挿入孔と、
該滑り板を前記ベッドの右側のフレームに植設された取付ポールに取り付けて使用する場合に前記車椅子の一部に係合する第２の切欠部と
を有することを特徴とするベッド車椅子間移動補助装置。
【請求項３】
前記取付具は、
前記ワイヤ部と、
前記ワイヤ部の両端を着脱自在に接続して閉環することが可能な接続部材と
を具備することを特徴とする請求項１又は２に記載のベッド車椅子間移動補助装置。
【請求項４】
前記滑り板は、
前記第１の切欠部若しくは前記第２の切欠部を前記車椅子の一部に係合させた状態でその大部分が前記ベッドのマット上に位置するように湾曲形成されていることを特徴とすることを特徴とする請求項１乃至３のいずれか１項に記載のベッド車椅子間移動補助装置。
【請求項５】
前記滑り板は、
前記第１の切欠部及び前記第２の切欠部にそれぞれ隣接して、該滑り板を前記車椅子若しくは前記ベッドのサイドレールに固定するためのフック部材の取付けを可能にする第１のフック部材取付孔及び第２のフック部材取付孔を有することを特徴とする請求項１乃至４のいずれか１項に記載のベッド車椅子間移動補助装置。
【請求項６】
前記滑り板は、
被介助者をベッドの奥側まで移動することを可能にするための第１の張出部及び第２の張出部を有するとともに、前記第１の切欠部及び前記第２の切欠部と前記第１の張出部及び第２の張出部との間に車椅子の駐車用ブレーキアーム及び車輪部を逃げるための第１の凹部及び第２の凹部を有することを特徴とする請求項１乃至５のいずれか１項に記載のベッド車椅子間移動補助装置。
【発明の詳細な説明】
【技術分野】
【０００１】
この発明は、被介助者がベッドと車椅子との間を移動する際の介助者の介助を補助するベッド車椅子間移動補助装置に関する。
【背景技術】
【０００２】
一般に、下半身等に障害を有する身体不自由者は、この身体不自由者の自由な活動を可能にするためにベッドと車椅子との間を頻繁に移動することがある。このベッドと車椅子との間の移動は一日に十数回に及ぶことがある。
【０００３】
しかし、下半身に障害を有する身体不自由者は、上半身にも何らかの障害がある場合も多く、このような場合、ベッドと車椅子との間の移動に際して介助者の介助が必要となる場合が多い。このベッドと車椅子との間の移動に際しての介助者の負担は非常に大きなものになり、これが介助者の腰痛の発生の大きな原因のとなって、介助者が介護施設に定着しない１つの要因となっている。
【０００４】
従来、身体不自由者が車椅子とベッドの間を安全に移動できるようにする器具としては、特許文献１に記載された「車椅子からベッドへの移動器具」が知られている。
【０００５】
この特許文献１に記載された「車椅子からベッドへの移動器具」は、車椅子の座席とベッドとの両上面の間を渡す長板状の渡し材１を有し、渡し材１の長尺側の縁に、車椅子の前面に位置するフレーム部ｄが挿入できる凹部１１を形成し、渡し材１の下面に渡し材１を支持する支持材２を設けて構成され、これによって、車椅子の座席とベッドとの間を渡し材１を介して直接平面によって連絡し、その上、車椅子のフレーム部ｄが渡し材１内に挿入されることになるので、車椅子の座席とベッドとの間の間隔は狭くなり、その分、身体の移動距離は短くなり、下半身不自由者による移動が楽になるというものである。
【０００６】
しかしながら、特許文献１に記載された「車椅子からベッドへの移動器具」は、サイズが大きくなるため、ベッドの横に置くと邪魔になり、また、上半身にも障害がある身体不自由者にとっては、車椅子からベッドへの移動に際しては介助者の介助が必要となるので、この場合も身体不自由者の足が器具と干渉するので使い勝手がよいものではなかった。
【０００７】
そこで、発明者等は、特許文献２に示すように、簡易な構成で被介助者がベッドと車椅子との間を移動する際の介助者の介助の補助を行うことができ、かつ、使い勝手のよいベッド車椅子間移動補助装置を開発した。
【先行技術文献】
【特許文献】
【０００８】
【特許文献１】特開２００６−１７５０６９号公報
【特許文献２】特許４９５５１３５号
【発明の概要】
【発明が解決しようとする課題】
【０００９】
ところで、この種の装置は、予め設定したベッドの一方の側だけでなく、ベッドの他方側にも取り付けられるようにして欲しいという要望も多い。
【００１０】
しかしながら、特許文献２に記載された「ベッド車椅子間移動補助装置」は、予め設定したベッドの一方の側に取り付けることを想定して開発したものであるので、この装置をベッドの他方側に取り付けようとする、簡単には取り付けられない。
【００１１】
そこで、この発明は、簡易な構成でベッドの両側に取替え取付可能であり、かつ被介助者がベッドと車椅子との間を移動する際の介助者の介助の補助を行うことができる使い勝手のよいベッド車椅子間移動補助装置を提供することを目的とする。
【課題を解決するための手段】
【００１２】
上記目的を達成するため、請求項１の発明は、被介助者がベッドと車椅子との間を移動する際の介助者の介助を補助するベッド車椅子間移動補助装置であって、中央部で湾曲したへの字形状からなり、上面が滑り加工され、下面が滑り止め加工された滑り板と、前記滑り板を前記ベッドの右側のサイドレールの垂直ポール又は前記ベッドの左側のサイドレールの垂直ポールに取り付けるための屈曲自在なワイヤ部を有する取付具とを具備し、前記滑り板は、一端に、該滑り板を前記ベッドの右側のサイドレールの垂直ポールに取付ける場合に前記取付具の前記ワイヤ部が挿入される右側取付用ワイヤ挿入孔と、該滑り板を前記ベッドの左側のサイドレールの垂直ポール取り付けて使用する場合に前記車椅子の一部に係合する第１の切欠部とを有し、他端に、該滑り板を前記ベッドの左側のサイドレールの垂直ポールに取付ける場合に前記取付具の前記ワイヤ部が挿入される左側取付用ワイヤ挿入孔と、該滑り板を前記ベッドの右側のサイドレールの垂直ポールに取り付けて使用する場合に前記車椅子の一部に係合する第２の切欠部とを有することを特徴とする。
【００１３】
請求項２の発明は、被介助者がベッドと車椅子との間を移動する際の介助者の介助を補助するベッド車椅子間移動補助装置であって、中央部で湾曲したへの字形状からなり、上面が滑り加工され、下面が滑り止め加工された滑り板と、前記滑り板を前記ベッドの右側のフレームに植設された取付ポール又は前記ベッドの左側のフレームに植設された取付ポールに取り付けるための屈曲自在なワイヤ部を有する取付具とを具備し、前記滑り板は、一端に、該滑り板を前記ベッドの右側のフレームに植設された取付ポールに取付ける場合に前記取付具の前記ワイヤ部が挿入される右側取付用ワイヤ挿入孔と、該滑り板を前記ベッドの左側のフレームに植設された取付ポールに取り付けて使用する場合に前記車椅子の一部に係合する第１の切欠部とを有し、他端に、該滑り板を前記ベッドの左側のフレームに植設された取付ポールに取付ける場合に前記取付具の前記ワイヤ部が挿入される左側取付用ワイヤ挿入孔と、該滑り板を前記ベッドの右側のフレームに植設された取付ポールに取り付けて使用する場合に前記車椅子の一部に係合する第２の切欠部とを有することを特徴とする。
【００１４】
請求項３の発明は、請求項１又は２の発明において、前記取付具は、前記ワイヤ部と、前記ワイヤ部の両端を着脱自在に接続して閉環することが可能な接続部材とを具備することを特徴とする。
【００１５】
請求項４の発明は、請求項１乃至３のいずれかの発明において、前記滑り板は、前記第１の切欠部若しくは前記第２の切欠部を前記車椅子の一部に係合させた状態でその大部分が前記ベッドのマット上に位置するように湾曲形成されていることを特徴とする。
【００１６】
請求項５の発明は、請求項１乃至４のいずれかの発明において、前記滑り板は、前記第１の切欠部及び前記第２の切欠部にそれぞれ隣接して、該滑り板を前記車椅子若しくは前記ベッドのサイドレールに固定するためのフック部材の取付けを可能にする第１のフック部材取付孔及び第２のフック部材取付孔を有することを特徴とする。
【００１７】
請求項６の発明は、請求項１乃至５のいずれかの発明において、前記滑り板は、被介助者をベッドの奥側まで移動することを可能にするための第１の張出部及び第２の張出部を有するとともに、前記第１の切欠部及び前記第２の切欠部と前記第１の張出部及び第２の張出部との間に車椅子の駐車用ブレーキアーム及び車輪部を逃げるための第１の凹部及び第２の凹部を有することを特徴とする。
【発明の効果】
【００１８】
この発明によれば、簡易な構成でベッドの両側に取替え取付可能であり、かつ被介助者がベッドと車椅子との間を移動する際の介助者の介助の補助を行うことができる使い勝手のよいベッド車椅子間移動補助装置を提供することができる。
【図面の簡単な説明】
【００１９】
【図１】図１は、この発明に係わるベッド車椅子間移動補助装置の一実施例を示す平面図及び側面図である。
【図２】図２は、図１に示したベッド車椅子間移動補助装置で用いられる取付具の詳細を示す図である。
【図３】図４は、図１に示したベッド車椅子間移動補助装置で用いられる滑り板の詳細を示す平面図である。
【図４】図４は、図１に示したベッド車椅子間移動補助装置をベッドの右側のサイドレールの垂直ポールに取付けて使用する場合の使用例を説明する図である。
【図５】図５は、図１に示したベッド車椅子間移動補助装置で用いられるフック部材の一例を説明する図である。
【図６】図６は、図１に示したベッド車椅子間移動補助装置をベッドの左側のサイドレールの垂直ポールに取付けて使用する場合の使用例を説明する図である。
【図７】図７は、図１に示したベッド車椅子間移動補助装置の不使用時の収納状態を示す図である。
【図８】図７は、図１に示したベッド車椅子間移動補助装置の不使用時におけるフック部材の使用例を説明する図である。
【図９】図９は、この発明に係わるベッド車椅子間移動補助装置の他の取付態様を説明する図である。
【図１０】図１０は、図３に示した滑り板の他の構成を示す平面図である。
【発明を実施するための形態】
【００２０】
以下、この発明に係わるベッド車椅子間移動補助装置の実施の形態を添付図面を参照して詳細に説明する。
【００２１】
図１は、この発明に係わるベッド車椅子間移動補助装置をベッドに取付けた状態を示すの側面図である。
【００２２】
図１において、このベッド車椅子間移動補助装置１は、中央部で湾曲したへの字形状からなり、上面が滑り加工され、下面が滑り止め加工された滑り板１００と、この滑り板１００をベッド３００のサイドレール３３０の垂直ポール３３１に対して回動自在に取り付けるワイヤー部２１０を有する取付具２００とを有する。
【００２３】
なお、この実施例において、ベッド３００のサイドレール３３０は、ベッド３００のベットフレーム３１０に取付けられたサイドレール取付部材３２０のサイドレール取付孔２１にその足部を差し込むことにより、ベッド３００に取付けられるように構成されているが、このサイドレール３３０は、ベッド３００のベットフレーム３１０に形成された図示しないサイドレール取付孔に差し込むことにより、ベッド３００に取付けられるように構成されたものでもよい。
【００２４】
図２は、図１に示したベッド車椅子間移動補助装置１で用いられる取付具２００の詳細を示す図である。
【００２５】
図２に示すように、図１に示したベッド車椅子間移動補助装置１で用いられる取付具２００は、両端にリング部２１０ａ、２１０ｂが形成されたワイヤ部２１０と、このワイヤ部をベッド３００のサイドレール３３０の垂直ポール３３１を中にして閉環することができるようにしたリング部２１０ａ、２１０ｂとの間に設けられた接続部材２２０を有して構成される。この接続部材２２０としては、図２に示されるような、リング部２１０ｂに一端が取付けられ、他端がリング部２１０ａに着脱自在に取付けられるナスカン等を用いることができる。
【００２６】
図３は、図１に示したベッド車椅子間移動補助装置１で用いられる滑り板１００の詳細を示す平面図である。
【００２７】
この滑り板１００は、上面が被介助者がベッドと車椅子との間を滑って容易に移動できるようにするために滑り加工され、また、下面は、被介助者がベッドと車椅子との間を移動するに際してベッドとの間が滑らないようにするために滑り止め加工されている。
【００２８】
また、このベッド車椅子間移動補助装置１は、ベッドの右側及び左側に取替え取り付け可能に形成されているので、滑り板１００の形状は、図３に示すように、中央部が幅広になった中央部で湾曲したへの字形状からなっている。
【００２９】
なお、滑り板１００の形状を、図３に示すように、中央部が幅広になった中央部で湾曲したへの字形状にした理由は、このベッド車椅子間移動補助装置１の使用に際して、このベッド車椅子間移動補助装置１をベッドの右側に取付けても左側に取付けても、その使用時に滑り板１００の大部分がベッドのマット３４０上に位置するようにして、滑り板１００及び取付具２００に大きな強度が要求されないようにしたためである。
【００３０】
また、この滑り板１００は、その一端に、このベッド車椅子間移動補助装置１をベッドの右側に取り付けるための右側用取付孔１２０ａが形成されている。
【００３１】
また、この滑り板１００には、このベッド車椅子間移動補助装置１をベッドの左側に取り付けて使用する場合に車椅子の一部に係合する第１の切欠部１２０ａが形成され、この第１の切欠部１２０ａの近傍に滑り板１００を車椅子に固定するための後に説明するフック部材を取付る第１のフック部材取付孔１３０ａが形成されている。
【００３２】
同様に、滑り板１００の他端には、このベッド車椅子間移動補助装置１をベッドの左側に取り付けるための左側用取付孔１２０ｂが形成されており、また、このベッド車椅子間移動補助装置１をベッドの右側に取り付けて使用する場合に車椅子の一部に係合する第２の切欠部１２０ｂが形成され、この第１の切欠部１２０ｂの近傍に滑り板１００を車椅子に固定するための後に説明するフック部材を取付る第２のフック部材取付孔１３０ｂが形成されている。
【００３３】
図４は、図１に示したベッド車椅子間移動補助装置１をベッド３００の右側のサイドレール３２０の垂直ポール３２１に取付けて使用する場合の使用例を説明する図である。
【００３４】
このベッド車椅子間移動補助装置の使用例としては、
１）被介助者がベッドから車椅子へ移動する際の介助者の介助を補助する場合
２）被介助者が車椅子からベッドへ移動する際の介助者の介助を補助する場合
の２つの形態がある。
【００３５】
被介助者がベッドから車椅子へ移動する際の介助者の介助を補助する場合は、まず、滑り板１００がベッド３００のマット３４０上にあるようにセットする。
【００３６】
そして、取付具２００のワイヤー部２１０柔軟性を利用して、滑り板１００を被介助者側、すなわちベッド３００の中央側に回動させることにより、被介助者の臀部を滑り板１００に乗せ、この状態で滑り板１００を回動させ、滑り板１００をベッド３００の縁部まで引き寄せる。
【００３７】
次に、ベッド３００から被介助者が移動する車椅子５００の位置およびこの車椅子５００にストッパーがかけられているかを確認し、その後、滑り板１００を車椅子５００の方向に回動させ、滑り板１００の先端が、図５に示すように、ベッド１００の縁部から車椅子２００側に迫り出すようにして、滑り板１００の先端が車椅子５００の座面５１０に架かり、かつ、第２の切欠部１２０ｂが車椅子５００の一部に係合していることを確認する。
【００３８】
そして、滑り板１００の第２のフック部材取付孔１３０ｂに取付けられたフック部材６００を車椅子５００の一部に掛けることにより、滑り板１００を車椅子５００に固定する。
【００３９】
なお、フック部材６００の一例は図５に示される。図５においては、滑り板１００の第２の切欠部１２０ｂが車椅子５００のアームレスト支柱５２０に係合する場合を示しており、フック部材６００は、滑り板１００の第２のフック部材取付孔１３０ｂに着脱自在に取付けられるナスカン部６１０、ナスカン部６１０に接続されるワイヤー部６２０、ワイヤー部６２０の先端に取付けられ、車椅子５００の車輪部５３０に掛けられるフック部６３０から構成される。
【００４０】
なお、このフック部材６００は、図５に示す構成に限らず、例えば、ゴムベルト、面ファスナー、ワイヤー等を用いて構成されたものでもよい。
【００４１】
その後、被介助者を滑り板１００上で滑らせて、滑り板１００上から車椅子５００の座面５１０上に移動させる。このとき、滑り板１００はフック部材６００により車椅子５００に固定されているので、滑り板１００がベッド３００側に逃げてしまうことはない。
【００４２】
次に、フック部材６００による滑り板１００と車椅子５００との固定を解除し、車椅子５００を後退させ、車椅子５００の座面５１０から滑り板５００の先端を外し、滑り板１００を元の位置に戻すことにより、被介助者がベッドから車椅子へ移動する際の介助者の介助の補助は完了する。
【００４３】
被介助者が車椅子からベッドへ移動する際の介助者の介助を補助する場合は、滑り板１００をベッド３００のマット３４０上にある位置から車椅子５００側に迫り出すようする。
【００４４】
そして、被介助者が乗った車椅子５００を、滑り板１００の先端が車椅子５００の座面５１０に架かるように移動して、車椅子２００のストッパーをかける。
【００４５】
そして、滑り板１００の第２の切欠部１２０ｂが車椅子５００の一部に係合していることを確認し、滑り板１００の第２のフック部材取付孔１３０ｂに取付けられたフック部材６００を車椅子５００の一部に掛けることにより、滑り板１００を車椅子５００に固定する。
【００４６】
次に、車椅子５００の被介助者を滑り板１００上を滑らせてベッド３００のマット３４０上に移動させる。このとき滑り板１００の回動は滑り板１００は、フック部材６００により車椅子５００に固定されているので、滑り板１００がベッド３００側に逃げてしまうことはない。
【００４７】
その後、フック部材６００による滑り板１００と車椅子５００との固定を解除し、滑り板１００を元の位置に戻すことにより、被介助者が車椅子５００からベッド３００のマット３４０上へ移動する際の介助者の介助の補助は完了する。
【００４８】
図６は、図１に示したベッド車椅子間移動補助装置１をベッドの左側のサイドレール３３０ａの垂直ポール３３１ａに取付けて使用する場合の使用例を説明する図である。
【００４９】
図１に示したベッド車椅子間移動補助装置をベッドの左側に取り付ける場合は、左側用取付孔１１０ｂを用いて滑り板１００をベッド３００の左側のサイドレール３３０ａの垂直ポール３３１ａに取り付ける。
【００５０】
また、滑り板１００と車椅子５００の一部との係合が滑り板１００の第１の切欠部１２０ａを用いて行われ、滑り板１００と車椅子５００との固定は、滑り板１００の第１のフック部材取付孔１３０ａに取付けられたフック部材６００により行われる。その他は、図４で説明したベッド車椅子間移動補助装置１をベッドの右側のサイドレールの垂直ポールに取付けて使用する場合と同様であるので、重複する説明は省略する。
【００５１】
図７は、図１に示したベッド車椅子間移動補助装置１の不使用時の収納状態を示す図である。
【００５２】
図２に示したように、この実施例のベッド車椅子間移動補助装置１は、滑り板１００がワイヤー部２１０を有する取付具２００によりベッド３００のサイドレール３３０の垂直ポール３３１に対して回動自在に取り付けられているので、このベッド車椅子間移動補助装置１の不使用時には、ワイヤー部２１０の柔軟性を利用して、滑り板１００をベッドのフレームと平行になるように、回動し、この状態で滑り板１００を右方に回転させる。そして、図８に示しように、滑り板１００の第２のフック部材取付孔１３０ｂに取付けられているフック部材６００をサイドレール３３０の平行ポールに掛け、滑り板１００をサイドレール３３０に固定する。
【００５３】
これにより、このベッド車椅子間移動補助装置１を通常の使用位置より右方の、介護に支障が来たさない図９に示す位置に移動収容することができる。
【００５４】
なお、上記実施例においては、滑り板１００をベッド３００の右側のサイドレール３３０の垂直ポール３３１又はベッド３００の左側のサイドレール３３０ａの垂直ポール３３１ａに取付けるように構成したが、これに代えてベッドの右側のフレームに植設された取付ポール又はベッドの左側のフレームに植設された取付ポールに取付けるように構成してもよい。
【００５５】
図９は、この発明に係わるベッド車椅子間移動補助装置１を他の取付態様でベッドに取付けた状態を示すもので、（Ａ）はその平面図であり、（Ｂ）はその側面図である。
【００５６】
図９において、ベッド３００のベッドフレーム３１０には、第１の取付部材７１０を介して先端に取付孔７２０ａが形成された第２の取付部材７２０が複数箇所形成されている。
【００５７】
そして、第２の取付部材７２０の取付孔７２０ａに、先端に頭部７３０ａが形成された取付ポール７３０を挿入し、これを締具７４０ａ、７４０ｂを用いて取付孔７２０ａに固定する。
【００５８】
この状態で、取付ポール７３０に取付具２００を介して滑り板１００を取付ける。
【００５９】
このような構成によると、ベッド３００からサイドレール３３０を取り外しているとき、ベッド３００のサイドレール３３０取付位置がこのベッド車椅子間移動補助装置１の使用に際して適した位置にないとき、若しくはベッド３００のサイドレール３３０の強度が十分でないとき等においても、この発明に係わるベッド車椅子間移動補助装置１の使用が可能になる。
【００６０】
また、ベッド３００のベッドフレーム３１０の両側に上記第１の取付部材７１０及び上記第２の取付部材７２０を取付けることにより、ベッド３００の両側にこの発明に係わるベッド車椅子間移動補助装置１の取り付けが可能になる。
【００６１】
図１０は、図３に示した滑り板の他の構成を示す平面図である。
【００６２】
図１０に示す滑り板８００は、図３に示した滑り板１００と比較して、被介助者をベッド３００の奥まで移動することを可能にするための第１の張出部８５０ａ及び第２の張出部８５０ｂを設けるとともに、図３に示した第１の切欠部１２０ａ及び第２の切欠部１２０ｂに対応する第１の切欠部８２０ａ及び第２の切欠部８２０ｂと第１の張出部８５０ａ及び第２の張出部８５０ｂとの間に車椅子の駐車用ブレーキアーム及び車輪部を逃げるための第１の凹部８４０ａ及び第２の凹部８４０ｂを設けた点が図３に示した滑り板１００と異なる。その他は、図３に示した滑り板１００と同様である。
【００６３】
すなわち、図１０に示す滑り板８００も、図３に示した滑り板１００と同様に、上面が被介助者がベッドと車椅子との間を滑って容易に移動できるようにするために滑り加工され、また、下面は、被介助者がベッドと車椅子との間を移動するに際してベッドとの間が滑らないようにするために滑り止め加工されている。
【００６４】
また、この滑り板８００も、図３に示した滑り板１００と同様に、その一端に、このベッド車椅子間移動補助装置１をベッドの右側に取り付けるための右側用取付孔８２０ａが形成されており、この滑り板８００をベッドの左側に取り付けて使用する場合に車椅子の一部に係合する第１の切欠部８２０ａが形成され、この第１の切欠部８２０ａの近傍にこの滑り板８００を車椅子に固定するための第１のフック部材取付孔８３０ａが形成されている。
【００６５】
同様に、この滑り板８００の他端には、このベッド車椅子間移動補助装置１をベッドの左側に取り付けるための左側用取付孔８２０ｂが形成されており、また、このベッド車椅子間移動補助装置１をベッドの右側に取り付けて使用する場合に車椅子の一部に係合する第２の切欠部８２０ｂが形成され、この第１の切欠部８２０ｂの近傍に滑り板８００を車椅子に固定するための第２のフック部材取付孔８３０ｂが形成されている。
【００６６】
以上が本発明の代表的な実施形態の一例であるが、本発明は、上記実施例及び図面に示す実施例に限定することなく、その要旨を変更しない範囲内で適宜変形して実施できるものである。
【符号の説明】
【００６７】
１    ベッド車椅子間移動補助装置
１００    滑り板
２００    取付具
３００    ベッド
４００    滑り板受部
５００    車椅子
６００    フック部材
８００    滑り板
【図１】
2014073334.tif 000003
【図２】
2014073334.tif 000004
【図３】
2014073334.tif 000005
【図４】
2014073334.tif 000006
【図５】
2014073334.tif 000007
【図６】
2014073334.tif 000008
【図７】
2014073334.tif 000009
【図８】
2014073334.tif 000010
【図９】
2014073334.tif 000011
【図１０】
2014073334.tif 000012